(57)【要約】【課題】            壁面に取り付けるタイプの空気調和機の設置時の作業性を向上するための設置構造に関する。【解決手段】        型紙２には据付部材１の取り付け位置を示す表示部５と、表示部５を囲む切り取り線６と、型紙２を上下に分離する上下切り取り線７を備える。壁面Ｂに配置した型紙２の表示部５に据付部材１を固定した後、上下切り取り線７により型紙２を上下に分離し、切り取り線６により表示部５を切り離し、上部の型紙２ａを壁面Ｂから取り除く。壁面Ｂに残された下部の型紙２ｂには、空気調和機Ａの本体３底面の高さ位置を示す横ガイド線８と、据付部材１の左右位置を示す縦ガイド線９とを備え、空気調和機Ａの本体３底面には係止部４の左右方向の位置を示すガイド部３ａを形成し、横ガイド線８に空気調和機Ａの本体３底面の位置を合わせ、縦ガイド線９にガイド部３ａの位置を合わせることによって、係止部４と係合部１ａの高さ方向と左右方向の位置決めを行なう。【選択図】          図１
2018035956.tif 000002
【特許請求の範囲】
【請求項１】
空気調和機を壁面に設置するための据付部材と、前記据付部材を前記壁面の所定の位置に取り付けるための型紙とを備え、
前記壁面に配置された前記型紙によって決定される前記壁面の所定の取り付け位置に前記据付部材を固定し、空気調和機の本体背面側に設けた係止部が前記据付部材の係合部に係合することで空気調和機を前記壁面に固定する空気調和機の設置構造において、
前記空気調和機の係止部と前記据付部材は左右一対に配置し、
前記型紙には前記据付部材の取り付け位置を示す表示部を設け、前記表示部は前記据付部材よりも外径寸法の大きい切り取り線で囲まれており、
かつ、前記表示部の下方には前記型紙を上下に分離する上下切り取り線を設け、
前記型紙を前記壁面に配置し、前記型紙の前記表示部に前記据付部材を固定した後、前記上下切り取り線により上下に分離すると共に、前記表示部の切り取り線により前記表示部を切り離し、下部の型紙を残して上部の型紙を壁面から取り除き、
前記壁面に残された前記下部の型紙には、空気調和機の本体底面の高さ位置を示す横ガイド線と、前記横ガイド線の付近で前記据付部材の左右位置を示す縦ガイド線とを備え、
空気調和機の本体底面には前記係止部の左右方向の位置を示すガイド部を形成し、
前記横ガイド線と空気調和機の本体底面とによって前記係止部と前記係合部の高さ方向の位置決めを行なうと共に、前記縦ガイド線と前記ガイド部とによって前記係止部と前記係合部の左右方向の位置決めを行なって、空気調和機の前記係止部を前記据付部材の前記係合部に係合することを特徴とする空気調和機の設置構造。
【請求項２】
前記下部の型紙には、前記横ガイド線より高所で、前記空気調和機の前記係止部と前記据付部材の前記係合部との係合前の高さ位置を示す上位の横ガイド線を備えていることを特徴とする請求項１に記載の空気調和機の設置構造。
【請求項３】
前記型紙の前記表示部を囲う前記切り取り線と前記上下切り取り線とがミシン目で構成されていることを特徴とする請求項１又は２に記載の空気調和機の設置構造。
【発明の詳細な説明】
【技術分野】
【０００１】
この発明は壁面に取り付けるタイプの空気調和機の設置構造に関するものである。
【背景技術】
【０００２】
エアコンの室内機やサーキュレータなどの空気調和機は、据付部材によって室内の壁面に設置されるものであり、空気調和機を天井や壁面から適切な距離をあけて設置する必要があるため、据付部材を壁面の所定の位置に取付けるための型紙を用意している。
【０００３】
型紙には空気調和機の設置位置が天井及び壁面から適切な距離となるように据付部材の取り付け位置が示されている。型紙を壁面に適宜方法で取り付け、型紙に示された壁面の所定の取り付け位置に据付部材を固定し、壁面に固定された据付部材の係合部に空気調和機の背面の係止部を係合することで、空気調和機を壁面に設置することができる。（特許文献１参照）
【先行技術文献】
【特許文献】
【０００４】
【特許文献１】特開２００４−３１７０１７号公報
【発明の概要】
【発明が解決しようとする課題】
【０００５】
空気調和機がエアコンの室内機の場合、内部に熱交換器や冷媒配管を備えていて重量があるため、室内機本体の上部と下部で確実に固定する必要があり、据付部材はある程度の大きさを必要としていた。一方、壁掛け式のサーキュレータのように熱交換器や冷媒配管を備えていないものの場合には重量が軽いため、本体の上部だけで固定することが可能となる。このため、特許文献１のように据付部材の小型化が可能であり、コストの低減が期待できる。
【０００６】
しかし、空気調和機の係止部は本体背面側の上部に設けられており、空気調和機は壁面の高所に設置されるため、空気調和機の設置の際に本体を持ち上げたときに据付部材が空気調和機本体で隠れてしまい、据付部材の位置が全く確認できなくなってしまうため、設置困難で取扱性の低下を招くという課題が見つかった。この発明では、コスト低減のために据付部材を小型化しても、設置の際の作業性が確保できる設置構造を提案するものである。
【課題を解決するための手段】
【０００７】
この発明は上記の課題を解決するもので、空気調和機Ａを壁面Ｂに設置するための据付部材１と、前記据付部材１を前記壁面Ｂの所定の位置に取り付けるための型紙２とを備え、前記壁面Ｂに配置された前記型紙２によって決定される前記壁面Ｂの所定の取り付け位置に前記据付部材１を固定し、空気調和機Ａの本体３背面側に設けた係止部４が前記据付部材１の係合部１ａに係合することで空気調和機Ａを前記壁面Ｂに固定する空気調和機の設置構造において、前記空気調和機Ａの係止部４と前記据付部材１は左右一対に配置し、前記型紙２には前記据付部材１の取り付け位置を示す表示部５を設け、前記表示部５は前記据付部材１よりも外径寸法の大きい切り取り線６で囲まれており、かつ、前記表示部５の下方には前記型紙２を上下に分離する上下切り取り線７を設け、前記型紙２を前記壁面Ｂに配置し、前記型紙２の前記表示部５に前記据付部材１を固定した後、前記上下切り取り線７により上下に分離すると共に、前記表示部５の切り取り線６により前記表示部５を切り離し、下部の型紙２ｂを残して上部の型紙２ａを壁面Ｂから取り除き、前記壁面Ｂに残された前記下部の型紙２ｂには、空気調和機Ａの本体３底面の高さ位置を示す横ガイド線８と、前記横ガイド線８の付近で前記据付部材１の左右位置を示す縦ガイド線９とを備え、空気調和機の本体３底面には前記係止部４の左右方向の位置を示すガイド部３ａを形成し、前記横ガイド線８と空気調和機Ａの本体３底面とによって前記係止部４と前記係合部１ａの高さ方向の位置決めを行なうと共に、前記縦ガイド線９と前記ガイド部３ａとによって前記係止部４と前記係合部１ａの左右方向の位置決めを行なって、空気調和機Ａの前記係止部４を前記据付部材１の前記係合部１ａに係合することを特徴とする空気調和機の設置構造である。
【０００８】
また、前記下部の型紙２ｂには、前記横ガイド線８より高所で、前記空気調和機Ａの前記係止部４と前記据付部材１の前記係合部１ａとの係合前の高さ位置を示す上位の横ガイド線８ａを備えていることにより、係止部４と係合部１ａの位置が直接見えなくても容易に係合位置にセットすることができる。
【０００９】
また、前記型紙２の前記表示部５を囲う前記切り取り線６と前記上下切り取り線７とがミシン目で構成されていることにより、型紙２の分離が容易にできるものである。
【発明の効果】
【００１０】
この発明では、据付部材１を型紙２の表示部５によって決定された取り付け位置に固定した後、型紙２を切り取り線６と上下切り取り線７によって分離して、表示部５と下部型紙２ｂを残して上部型紙２ａを壁面Ｂから取り除くことができる。
【００１１】
そして、壁面Ｂに残された下部型紙２ｂの横ガイド８の位置に空気調和機Ａの本体３底面を合わせると共に、下部型紙２ｂの縦ガイド９の位置に空気調和機Ａの本体３底面のガイド部３ａを合わせることで、空気調和機Ａの係止部４と据付部材１の係合部１ａとの位置を合わせることできるので、係止部４と係合部１ａとの係合が容易にできるものとなり、空気調和機Ａの設置時の作業性が向上できたものである。
【００１２】
また、横ガイド８は、上位の横ガイド８ａと下位の横ガイド８で構成したから、空気調和機Ａの本体３底面を上位の横ガイド８ａの位置に合わせることで、空気調和機Ａの係止部４が据付部材１の係合部１ａの上方に位置して、係止部４と係合部１ａとの係合前のセット位置に合わせることができるものとなった。
【００１３】
そして、この位置から空気調和機Ａの本体３底面を下位の横ガイド８ｂの位置まで下げることで係止部４が係合部１ａに係合できるものであり、空気調和機を持ち上げた状態で係合位置を探す必要がなくなり、係止部４と係合部１ａとの係合が容易に行なえるものとなった。
【００１４】
このため、重量の軽いものなど空気調和機の種類によっては据付部材１の形状を小さくすることができるが、据付部材１の形状が小さくなり空気調和機Ａの設置時に本体３によって係止部４と係合部１ａとが隠れてしまっても、空気調和機Ａを容易に壁面Ｂに設置することができるものであり、設置時の作業性を確保したまま、据付部材１の小型化によるコストの低減が実現できるものである。
【００１５】
また、型紙２の切り取り線６と上下切り取り線７をミシン目で構成しているから、型紙２を上部の型紙２ａと下部の型紙２ｂに容易に分離することができ、上部の型紙２ａと表示部５とを容易に切り離すことができ、上部の型紙２ａを壁面Ｂから取り除くことができるので、作業性が向上するものとなった。
【図面の簡単な説明】
【００１６】
【図１】この発明の実施例を示す型紙を壁面に配置した状態を示す説明図である。
【図２】この発明の実施例を示す型紙を分離した後の状態を示す説明図である。
【図３】この発明の実施例を示す空気調和機の壁面への設置時の状態を示す説明図である。
【図４】この発明の実施例を示す空気調和機の要部の斜視図である。
【発明を実施するための形態】
【００１７】
図に示す実施例によってこの発明を説明すると、３は空気調和機Ａの横長形状の本体、３ｂは本体３の上面に設けた空気吸込口、３ｃは本体３の底面に設けた空気吹出口であり、本体３内に送風機を備えている。図に示す実施例の空気調和機Ａは壁面Ｂに設置して使用される壁掛け式のサーキュレータであり、本体３内の送風機が駆動すると上部の空気吸込口３ｂから吸い込んだ空気を、底面の空気吹出口３ｃから床面に向けて吹出すことで、室内空気を強制循環させるものであり、室温を平均化して暖房や冷房の効率を良くするために使用される。
【００１８】
１は空気調和機Ａを壁面Ｂに設置するための据付部材、１ｂは据付部材１の平板状の基部、１ａは基部１ｂの上部を前方に折り曲げた後、その先端を上方に向けてＬ字状に形成した係合部、１ｃは基部１ｂに設けた取付孔であり、据付部材１は基部１ｂを壁面Ｂに取り付け、取付孔１ｃに固定ネジなどの固定手段を装着することで壁面Ｂに固定される。この発明の実施例では、２個の据付部材１が左右一対に配置される。
【００１９】
４は空気調和機Ａの本体３の背面の上部に設けた係止部、４ａは係止部４を構成する係止孔、４ｂは係止孔４ａの上方に配置した係止片であり、係止部４は壁面Ｂに配置された据付部材１と対応するように左右一対に配置されている。据付部材１の係合部１ｂの先端が係止孔４ａに差し込まれて係合部１ｂと係止片４ｂとが係合することで、空気調和機Ａが壁面Ｂに設置される。
【００２０】
空気調和機Ａは天井や壁面から所定の距離をあけて設置する必要があり、空気調和機Ａを適切な位置に設置できるように、据付部材１の取り付け位置を決定するための設置構造を備えている。２は壁面Ｂに配置して据付部材１の取り付け位置を決定するための型紙、５は型紙２に印刷された据付部材１の取り付け位置を示す表示部である。また、型紙２には表示部５とは別に空気調和機Ａの取り付け位置を示す枠線が印刷されている。型紙２を壁面Ｂに配置することで据付部材１と空気調和機Ａの取り付け位置が決定されるものである。また、型紙２の上端を壁面と天井との角に、側端を壁面と壁面との角にあわせて配置したときに、空気調和機Ａが天井及び壁面から所定の距離をあけて設置できるよう、型紙２の大きさが設定されている。
【００２１】
従来の空気調和機Ａの設置手順は、はじめに型紙２を壁面Ｂに配置して空気調和機Ａの設置位置を決定し、型紙２に従って据付部材１を壁面Ｂに取り付け、取付孔１ｃに固定ネジなどの固定手段を装着して据付部材１を壁面Ｂに固定し、型紙２を壁面Ｂから取り除いた後、空気調和機Ａの係止部４を据付部材１の係合部１ａに係合して、空気調和機Ａを壁面Ｂに設置していた。
【００２２】
しかし、空気調和機Ａは部屋の天井付近の高所に設置されるものであり、空気調和機Ａを壁面Ｂに設置するときには本体３を持ち上げて設置作業することになる。そのため、本体３の背面に設けた係止部４と壁面Ｂに取り付けた据付部材１の係合部１ａが空気調和機Ａの本体３の死角となり、空気調和機Ａを持ち上げた状態で係合部１ａと係止部４との係合位置を探しながら作業しなければならない。特に壁掛け式のサーキュレータのような重量の軽い空気調和機では、据付部材１の形状を小さくすることができ、材料費が抑えられてコスト低減が見込めるが、据付部材１の形状が小さくなることで係合位置の確認が難しくなり、設置作業が困難で取扱性の悪いものとなってしまう課題がある。
【００２３】
この発明は設置時の作業性向上を図るもので、６は型紙２の表示部５の外側を囲むように形成して表示部５を型紙２から切り離すための切り取り線、７は型紙２を上下に分離する上下切り取り線であり、切り取り線６と上下切り取り線７はミシン目で構成されている。また、切り取り線６で囲われた表示部５は据付部材１の外形形状をあらわす枠線が印刷されている。
【００２４】
２ａは上下切り取り線７によって分離される上部の型紙、２ｂは下部の型紙であり、表示部５と切り取り線６は上部の型紙２ａに配置されている。８は下部の型紙２ｂに配置した横ガイド線であり、横ガイド線８は上下切り取り線７と平行に配置された横線で構成している。９は横ガイド線８の付近に配置した縦ガイド線であり、縦ガイド線９は表示部５に配置される据付部材１の左右位置を示している。実施例では、縦ガイド線９が２本の縦線と矢印の組み合わせで構成され、据付部材１に対応して左右一対に配置され、２本の縦線の横幅が据付部材１の係合部１ａの横幅を表している。
【００２５】
この発明の空気調和機Ａの設置手順を説明すると、型紙２を粘着テープなどの固定手段によって壁面Ｂに取り付け、型紙２を壁面Ｂに取り付けたまま、表示部５に印刷された外形形状の枠線にあわせて据付部材１を取り付け、取付孔１ｃに固定ネジなどの固定手段を装着する。据付部材１は型紙２の上から壁面Ｂに固定することができるので、据付部材１の取り付け位置が容易に確認でき、正確に取り付けることができる。
【００２６】
据付部材１を固定した後、型紙２を上下切り取り線７で切り離して上部の型紙２ａと下部の型紙２ｂとに分離する。上部の型紙２ａと表示部５を切り取り線６で切り離し、表示部５を上部の型紙２ａから分離する。このため、下部の型紙２ｂと据付部材１が取り付けられた表示部５を壁面Ｂに残したまま、上部の型紙２ａだけを壁面Ｂから取り除くことができる。
【００２７】
３ａは空気調和機Ａの本体３の底面に形成されたガイド部であり、空気調和機Ａの本体３の背面に設けた係止部４の下方で係止部４の左右位置を示している。実施例では、ガイド部３ａが２本のリブで構成され、係止部４に対応して左右一対に配置され、ガイド部３ａの２本のリブの幅が係止部４の横幅を表している。
【００２８】
下部の型紙２ｂの横ガイド線８は、空気調和機Ａを壁面Ｂに設置したときの本体３底面の位置を示しており、空気調和機Ａを設置するときは、本体３の底面を下部の型紙２ｂの横ガイド線８の高さに合わせると共に、本体３底面のガイド部３ａのリブを下部の型紙２ｂの縦ガイド線９の位置に合わせることで、据付部材１の係合部１ａと空気調和機Ａの係止部４の高さ方向の位置と左右方向の位置を合わせることができる。
【００２９】
そして、この位置から空気調和機Ａの本体３を上方に持ち上げて移動させ、本体３の上部を壁面Ｂに近づけるように傾け、本体３を傾けた状態で下方に移動させると、据付部材１の係合部１ａの先端が係止部４の係止孔４ａに差し込まれ、本体３の底面を横ガイド線８の位置まで下げると係合部１ａと係止片４ｂとが係合することができ、空気調和機Ａを壁面Ｂに設置することができる。空気調和機Ａを壁面Ｂに設置した後で下部の型紙２ｂを壁面Ｂから取り除けば、空気調和機Ａの設置が完了する。
【００３０】
この構成によって、空気調和機Ａを壁面Ｂに設置するときに係合部１ａと係止部４の位置が直接確認できなくても、本体３の底面のガイド部３ａと型紙２の横ガイド線８及び縦ガイド線９を確認しながら設置することで、係合部１ａと係止部４との係合位置を容易に見つけることができ、設置時の作業性が向上できたものである。
【００３１】
また、この発明の実施例において、８ａは下部の型紙２ｂの横ガイド線８よりも高所に形成した上位の横ガイド線であり、横ガイド８と平行に配置した横線で構成している。空気調和機Ａを壁面Ｂに設置するときに、空気調和機Ａの本体３の底面を上位の横ガイド線８ａの位置に合わせることで、空気調和機Ａの係止部４が据付部材１の係合部１ａよりも上方に位置し、係合部１ａと係止部４とが係合前の位置関係となるように構成されている。
【００３２】
この位置から空気調和機Ａの本体３の上部を壁面Ｂに近づけるように傾け、本体３を傾けた状態で下方に移動させると、据付部材１の係合部１ａの先端が係止部４の係止孔４ａに差し込まれ、本体３の底面を横ガイド線８の位置まで下げると係合部１ａと係止片４ｂとが係合することができ、空気調和機Ａを壁面Ｂに設置することができる。
【００３３】
この構成では、空気調和機Ａの本体３の底面を上位の横ガイド線８ａの高さに合わせると共に、本体３底面のガイド部３ａを縦ガイド線９の位置に合わせるだけ、係合部１ａと係止部４を係合前の位置にセットすることができるので、係合部１ａと係止部４の係合位置を探す必要がなくなり、設置時の作業性が向上できるものとなった。
【００３４】
壁掛け式のサーキュレータのような重量が軽い空気調和機では、実施例のように据付部材１の形状を小さくできるため、コスト低減が期待できるものであるが、この構成によって設置時の作業性を確保したまま実現できるものとなった。
【００３５】
また、型紙２の切り取り線６と上下切り取り線７はミシン目で構成されているので、切断のための道具は必要なく、型紙２を容易に切り離すことができ、容易に作業することができるものである。
【符号の説明】
【００３６】
１    据付部材
１ａ  係合部
２    型紙
２ａ  上部の型紙
２ｂ  下部の型紙
３    本体
３ａ  ガイド部
４    係止部
５    表示部
６    切り取り線
７    上下切り取り線
８    横ガイド線
８ａ  上位の横ガイド線
９    縦ガイド線
Ａ    空気調和機
Ｂ    壁面
【図１】
2018035956.tif 000003
【図２】
2018035956.tif 000004
【図３】
2018035956.tif 000005
【図４】
2018035956.tif 000006